【手続補正書】
【提出日】平成27年8月17日(2015.8.17)
【手続補正１】
【補正対象書類名】特許請求の範囲
【補正対象項目名】全文
【補正方法】変更
【補正の内容】
【特許請求の範囲】
【請求項１】
電子書籍データのページを表示部に表示する携帯端末であって、
前記電子書籍データと、前記電子書籍データのページごとに設定された表示条件であって、当該ページを表示することを許可する条件として、前記携帯端末の場所を示す場所情報を含む表示条件とを記憶する記憶手段と、
前記記憶手段に記憶された電子書籍データのページの表示指示を受け付ける受付手段と、
前記携帯端末の場所を示す場所情報を取得する取得手段と、
前記受付手段により当該ページの表示指示を受け付けた場合に、前記取得手段により取得された場所情報と、当該表示指示を受け付けたページに対して設定された前記表示条件とに従って、当該表示指示を受け付けた当該ページを表示することを許可するか否かを判定する判定手段と、
前記判定手段により、前記受付手段により表示指示を受け付けた当該ページを表示することを許可すると判定された場合には、当該ページを前記表示部に表示し、一方、前記受付手段により表示指示を受け付けた当該ページを表示することを許可しないと判定された場合には、当該ページを前記表示部に表示しないように制御する表示制御手段と、
を備えることを特徴とする携帯端末。
【請求項２】
前記判定手段により表示することを許可すると判定されたページに対して、当該ページが表示済みであることを示す表示済み情報を設定する設定手段と、
前記受付手段によりページの表示指示を受け付けた場合に、当該表示指示を受け付けたページに対して前記表示済み情報が設定されているかを判定する表示済み判定手段と、
を更に備え、
前記表示制御手段は、前記表示済み判定手段により、当該表示指示を受け付けたページに対して前記表示済み情報が設定されていると判定された場合には、前記判定手段による判定処理を行うことなく、当該ページを前記表示部に表示することを特徴とする請求項１に記載の携帯端末。
【請求項３】
前記記憶手段に記憶された前記電子書籍データには、前記電子書籍データのページごとに、当該ページを表示することを許可する前記表示条件が含まれており、
前記判定手段は、前記受付手段によりページの表示指示を受け付けた場合に、前記取得手段により取得された場所情報と、当該表示指示を受け付けたページに含まれる前記表示条件とに従って、当該表示指示を受け付けた当該ページを表示することを許可するか否かを判定することを特徴とする請求項１又は２に記載の携帯端末。
【請求項４】
前記記憶手段に記憶された前記表示条件は、さらに、前記電子書籍データのページを表示することを許可する時間を示す時間情報を含み、
前記判定手段は、前記受付手段により当該ページの表示指示を受け付けた場合に、更に、当該表示指示を受け付けた時間と、当該表示指示を受け付けたページに対して設定された前記表示条件とに従って、当該表示指示を受け付けた当該ページを表示することを許可するか否かを判定することを特徴とする請求項１乃至３の何れか１項に記載の携帯端末。
【請求項５】
前記表示制御手段は、前記判定手段により、前記受付手段により表示指示を受け付けた当該ページを表示することを許可すると判定された場合には、当該ページを前記表示部に表示し、一方、前記受付手段により表示指示を受け付けた当該ページを表示することを許可しないと判定された場合には、当該ページを前記表示部に表示せずに、当該ページを表示することを許可する表示条件を表示するように制御することを特徴とする請求項１乃至４の何れか１項に記載の携帯端末。
【請求項６】
撮像対象を撮像する撮像手段を更に備え、
前記記憶手段に記憶された表示条件は、更に、前記電子書籍データのページを表示することを許可する条件として、撮像される画像に係る情報を含み、
前記判定手段は、更に、前記受付手段により当該ページの表示指示を受け付けた場合に、さらに、前記撮像手段により撮像されることで得られた画像と、当該表示指示を受け付けたページに対して設定された前記表示条件とに従って、当該表示指示を受け付けた当該ページを表示することを許可するか否かを判定することを特徴とする請求項１乃至５の何れか１項に記載の携帯端末。
【請求項７】
電子書籍データと、前記電子書籍データのページごとに設定された表示条件であって、当該ページを表示することを許可する条件として、携帯端末の場所を示す場所情報を含む表示条件とを記憶する記憶手段を備え、前記電子書籍データのページを表示部に表示する前記携帯端末における制御方法であって、
受付手段が、前記記憶手段に記憶された電子書籍データのページの表示指示を受け付ける受付工程と、
取得手段が、前記携帯端末の場所を示す場所情報を取得する取得工程と、
判定手段が、前記受付工程により当該ページの表示指示を受け付けた場合に、前記取得工程により取得された場所情報と、当該表示指示を受け付けたページに対して設定された前記表示条件とに従って、当該表示指示を受け付けた当該ページを表示することを許可するか否かを判定する判定工程と、
表示制御手段が、前記判定工程により、前記受付工程により表示指示を受け付けた当該ページを表示することを許可すると判定された場合には、当該ページを前記表示部に表示し、一方、前記受付工程により表示指示を受け付けた当該ページを表示することを許可しないと判定された場合には、当該ページを前記表示部に表示しないように制御する表示制御工程と、
を備えることを特徴とする制御方法。
【請求項８】
電子書籍データと、前記電子書籍データのページごとに設定された表示条件であって、当該ページを表示することを許可する条件として、携帯端末の場所を示す場所情報を含む表示条件とを記憶する記憶手段を備え、前記電子書籍データのページを表示部に表示する前記携帯端末で読み取り実行可能なプログラムであって、
前記携帯端末を、
前記記憶手段に記憶された電子書籍データのページの表示指示を受け付ける受付手段と、
前記携帯端末の場所を示す場所情報を取得する取得手段と、
前記受付手段により当該ページの表示指示を受け付けた場合に、前記取得手段により取得された場所情報と、当該表示指示を受け付けたページに対して設定された前記表示条件とに従って、当該表示指示を受け付けた当該ページを表示することを許可するか否かを判定する判定手段と、
前記判定手段により、前記受付手段により表示指示を受け付けた当該ページを表示することを許可すると判定された場合には、当該ページを前記表示部に表示し、一方、前記受付手段により表示指示を受け付けた当該ページを表示することを許可しないと判定された場合には、当該ページを前記表示部に表示しないように制御する表示制御手段として機能させることを特徴とするプログラム。
【手続補正２】
【補正対象書類名】明細書
【補正対象項目名】０００６
【補正方法】変更
【補正の内容】
【０００６】
本発明は、電子書籍データのページを表示部に表示する携帯端末であって、前記電子書籍データと、前記電子書籍データのページごとに設定された表示条件であって、当該ページを表示することを許可する条件として、前記携帯端末の場所を示す場所情報を含む表示条件とを記憶する記憶手段と、前記記憶手段に記憶された電子書籍データのページの表示指示を受け付ける受付手段と、前記携帯端末の場所を示す場所情報を取得する取得手段と、前記受付手段により当該ページの表示指示を受け付けた場合に、前記取得手段により取得された場所情報と、当該表示指示を受け付けたページに対して設定された前記表示条件とに従って、当該表示指示を受け付けた当該ページを表示することを許可するか否かを判定する判定手段と、前記判定手段により、前記受付手段により表示指示を受け付けた当該ページを表示することを許可すると判定された場合には、当該ページを前記表示部に表示し、一方、前記受付手段により表示指示を受け付けた当該ページを表示することを許可しないと判定された場合には、当該ページを前記表示部に表示しないように制御する表示制御手段と、を備えることを特徴とする。
【手続補正３】
【補正対象書類名】明細書
【補正対象項目名】０００７
【補正方法】変更
【補正の内容】
【０００７】
また、本発明は、電子書籍データと、前記電子書籍データのページごとに設定された表示条件であって、当該ページを表示することを許可する条件として、携帯端末の場所を示す場所情報を含む表示条件とを記憶する記憶手段を備え、前記電子書籍データのページを表示部に表示する前記携帯端末における制御方法であって、受付手段が、前記記憶手段に記憶された電子書籍データのページの表示指示を受け付ける受付工程と、取得手段が、前記携帯端末の場所を示す場所情報を取得する取得工程と、判定手段が、前記受付工程により当該ページの表示指示を受け付けた場合に、前記取得工程により取得された場所情報と、当該表示指示を受け付けたページに対して設定された前記表示条件とに従って、当該表示指示を受け付けた当該ページを表示することを許可するか否かを判定する判定工程と、表示制御手段が、前記判定工程により、前記受付工程により表示指示を受け付けた当該ページを表示することを許可すると判定された場合には、当該ページを前記表示部に表示し、一方、前記受付工程により表示指示を受け付けた当該ページを表示することを許可しないと判定された場合には、当該ページを前記表示部に表示しないように制御する表示制御工程と、を備えることを特徴とする。
【手続補正４】
【補正対象書類名】明細書
【補正対象項目名】０００８
【補正方法】変更
【補正の内容】
【０００８】
また、本発明は、電子書籍データと、前記電子書籍データのページごとに設定された表示条件であって、当該ページを表示することを許可する条件として、携帯端末の場所を示す場所情報を含む表示条件とを記憶する記憶手段を備え、前記電子書籍データのページを表示部に表示する前記携帯端末で読み取り実行可能なプログラムであって、前記携帯端末を、前記記憶手段に記憶された電子書籍データのページの表示指示を受け付ける受付手段と、前記携帯端末の場所を示す場所情報を取得する取得手段と、前記受付手段により当該ページの表示指示を受け付けた場合に、前記取得手段により取得された場所情報と、当該表示指示を受け付けたページに対して設定された前記表示条件とに従って、当該表示指示を受け付けた当該ページを表示することを許可するか否かを判定する判定手段と、前記判定手段により、前記受付手段により表示指示を受け付けた当該ページを表示することを許可すると判定された場合には、当該ページを前記表示部に表示し、一方、前記受付手段により表示指示を受け付けた当該ページを表示することを許可しないと判定された場合には、当該ページを前記表示部に表示しないように制御する表示制御手段として機能させることを特徴とする。